(57)【特許請求の範囲】
【請求項１】
ガラス板を積載し、輸送するためのガラス板輸送用パレットであって、
矩形形状に枠組みした床桟フレームと、
前記床桟フレームの背側上端部に固着立設された縦背枠フレームと前記縦背枠フレーム同士を連結する横背枠フレームとが矩形形状に枠組みされてなる背枠フレームと、
前記縦背枠フレームに固着され、前記背枠フレームの主面と直交する方向に伸びたガラス前辺保持具収納フレームと、
ガラス板の厚さに対応した仕切り溝を有し、両端に位置する前記ガラス前辺保持具収納フレームの先端部同士を連結するように前記ガラス前辺保持具収納フレームに取り付け可能な、着脱自在のガラス前辺保持具と、
引張部及びループ部からなる紐状部材であり、前記引張部の長さを調整することによって前記ループ部の周囲長を調整することができ、前記ループ部によってガラス板の後辺を固定し、調整した前記ループ部の周囲長を一定にして前記引張部を前記背枠フレームに固定することのできるガラス固縛用紐と、
前記横背枠フレームから前記背枠フレームの主面と直交する方向に伸ばした垂直保持バーとからなるガラス板輸送用パレット。
【請求項２】
前記横背枠フレームには貫通孔が設けられており、
前記ガラス固縛用紐の引張部の一端が前記貫通孔に挿通されており、
前記引張部のうち前記貫通孔に対して前記ループ部と逆側の位置に緩み止めストッパーが設けられている請求項１に記載のガラス板輸送用パレット。
【請求項３】
前記床桟フレームの上面には、
前記背枠フレームの主面と直交する向きに複数本設けられたガイドレールと、
二枚の前記ガイドレール間にその底面を前記ガイドレールの主面に合わせて配置された円筒形状のローラーとを備え、前記ローラーが前記円筒形状の軸を中心にして二枚の前記ガイドレール間で回転することができるように構成されたガラス下辺受けロールが設けられている請求項１又は２に記載のガラス板輸送用パレット。
【請求項４】
前記垂直保持バーにはガラス固縛用紐取付部が設けられており、前記ガラス固縛用紐が前記ガラス固縛用紐取付部に挿通されている請求項１〜３のいずれかに記載のガラス板輸送用パレット。
【請求項５】
前記垂直保持バーが上下方向に複数段設けられている請求項１〜４のいずれかに記載のガラス板輸送用パレット。
【請求項６】
前記ガラス前辺保持具収納フレームが複数段設けられており、ガラス前辺保持具も複数設けられている請求項１〜５のいずれかに記載のガラス板輸送用パレット。
【請求項７】
前記ガラス前辺保持具の前記仕切り溝は、緩衝材によって構成されている請求項１〜６のいずれかに記載のガラス板輸送用パレット。
【請求項８】
前記ガラス前辺保持具には、クランプフック引掛部が設けられており、
前記ガラス前辺保持具収納フレームには、前記クランプフック引掛部に引っ掛ける鍵状部材と、前記鍵状部材の前記クランプフック引掛部に対する角度を調整するクランプハンドルと、クランプハンドルの反転を防止する反転外れ止め金具とが設けられている請求項１〜７のいずれかに記載のガラス板輸送用パレット。
【発明の詳細な説明】
【技術分野】
【０００１】
本発明は、ガラス板、特にサイズの異なるガラス板を混載して輸送するためのパレットに関する。
【背景技術】
【０００２】
従来、ガラス板を輸送するために用いられるパレットとしては、鋼鉄製のパレットで、床桟フレームと、床桟フレームに固定された背枠フレームと、床桟フレームの前面側（背枠フレームと反対側）に着脱自在な前枠と、背枠フレームと前枠の上端を連結するトップクリッパーとからなり、複数枚のガラス板を積み重ねて梱包を行うパレットが一般的であった。
このようなパレットを用いると、複数枚のガラス板を積み重ねるためにガラス板に傷がつきやすく、また、異なるサイズのガラス板を同時に積み重ねて運搬することが難しいという問題があり、特許文献１及び特許文献２には、これらの問題に対処したパレットが開示されている。
【０００３】
【特許文献１】特開２００２−１２２８１号公報
【特許文献２】特許第３７０７９８３号公報
【発明の開示】
【発明が解決しようとする課題】
【０００４】
特許文献１には、保持溝が設けられたＬ字積載面を有し、ガラス板をＬ字積載面に沿って起立載置可能としたパネル積載用パレットが開示されている。
このパレットを用いると、Ｌ字積載面の起立面上端と底面先端間に掛け渡したロープによってガラス板の上部コーナーを押付け引掛状としてガラス板の固定を行うことができる。
従って、複数枚のガラス板を搬送する場合でもガラス板に傷がつくことを防止することができる。
しかし、このパレットではガラス板をその底辺と後辺、及び、コーナーでのみ保持しているため、トラック等による輸送時に側面方向に荷重や振動が加わると、ガラス板がぐらつくことがあり、積載が不安定となることがあった。
また、背枠側にガラス板の後辺の位置を合わせて積載するため、厚み、サイズの異なるガラス板を混載したパレットより所望のガラス板のみをガラス板の前辺側から取り出す際の作業性が悪く、特に奥行きの大きなガラス板の間から奥行きが小さいガラス板のみを取り出すことが困難であった。
【０００５】
特許文献２には、背枠とハープフレーム（仕切部材）を備え、対向する辺に設けた取り外し可能な前枠にガラス板を整列させてガラス板を積載することができるガラス搬送用パレットが開示されている。
このようなパレットを用いると、ガラス板同士が接触しないために運搬時にガラス板に傷がつくことを防止することができ、また、ガラス板の前辺側を基準としてガラス板を整列させて積載するため、サイズの異なるガラス板を混載したパレットから所望のガラス板のみを簡便に取り出すことができる。
【０００６】
しかし、このパレットは背枠側からガラス板を固定するためにガラス板の下部に押し当てる押圧手段を有しており、ガラス板を固定するためにはこの押圧手段を背枠側とガラス板の下部との間で移動させる必要があった。この押圧手段の移動は、作業者が背枠側からハープフレームの下部に手を伸ばすことによって行う必要があり、作業者の作業負担が大きかった。
特に、幅の大きいガラス板と幅の小さいガラス板を混載する際に、幅の小さいガラス板に対して押圧手段の操作を行おうとすると、隣接する幅の長いガラス板が邪魔になって押圧手段の操作がしずらいことがあり、ガラス板を固定する際の作業性に問題があった。また、押圧手段の構成が複雑であって、より簡便な構成で作業性の良いパレットとが望まれていた。
【０００７】
また、ハープフレームが背枠の上辺から前枠の底辺に渡されており、ガラス板の側面がガラス板の対角線上で支えられているため、高さが高いガラス板を積載した際にはガラス板が前枠側の高い位置ではどこにも支持されておらず、ガラス板の固定が不充分となるという問題があった。
【０００８】
本発明は、上記問題点の解決を図るためになされたものであり、ガラス板を一枚ずつ確実に固定して自立させることが可能であり、かつ、ガラスを固定する際の作業性の良好なパレットを提供することを目的とする。
【課題を解決するための手段】
【０００９】
すなわち、本発明は、
（１）ガラス板を積載し、輸送するためのガラス板輸送用パレットであって、
矩形形状に枠組みした床桟フレームと、
上記床桟フレームの背側上端部に固着立設された縦背枠フレームと上記縦背枠フレーム同士を連結する横背枠フレームとが矩形形状に枠組みされてなる背枠フレームと、
上記縦背枠フレームに固着され、上記背枠フレームの主面と直交する方向に伸びたガラス前辺保持具収納フレームと、
ガラス板の厚さに対応した仕切り溝を有し、両端に位置する上記ガラス前辺保持具収納フレームの先端部同士を連結するように上記ガラス前辺保持具収納フレームに取り付け可能な、着脱自在のガラス前辺保持具と、
引張部及びループ部からなる紐状部材であり、上記引張部の長さを調整することによって上記ループ部の周囲長を調整することができ、上記ループ部によってガラス板の後辺を固定し、調整した上記ループ部の周囲長を一定にして上記引張部を上記背枠フレームに固定することのできるガラス固縛用紐と、
上記横背枠フレームから上記背枠フレームの主面と直交する方向に伸ばした垂直保持バーとからなることを特徴とするガラス板輸送用パレットである。
【００１０】
或いは、本発明は、
（２）上記（１）に記載の輸送用パレットであって、
上記横背枠フレームには貫通孔が設けられており、
上記ガラス固縛用紐の引張部の一端が上記貫通孔に挿通されており、
上記引張部のうち上記貫通孔に対して上記ループ部と逆側の位置に緩み止めストッパーが設けられていることを特徴とするガラス板輸送用パレットである。
【００１１】
或いは、本発明は、
（３）上記（１）又は（２）に記載の輸送用パレットであって、
上記床桟フレームの上面には、
上記背枠フレームの主面と直交する向きに複数本設けられたガイドレールと、
二枚の上記ガイドレール間にその底面を上記ガイドレールの主面に合わせて配置された円筒形状のローラーとを備え、上記ローラーが上記円筒形状の軸を中心にして二枚の上記ガイドレール間で回転することができるように構成されたガラス下辺受けロールが設けられていることを特徴とするガラス板輸送用パレットである。
【００１２】
或いは、本発明は、
（４）上記（１）〜（３）のいずれかに記載の輸送用パレットであって、
上記垂直保持バーにはガラス固縛用紐取付部が設けられており、上記ガラス固縛用紐が上記ガラス固縛用紐取付部に挿通されていることを特徴とするガラス板輸送用パレットである。
【００１３】
或いは、本発明は、
（５）上記（１）〜（４）のいずれかに記載の輸送用パレットであって、
上記垂直保持バーが上下方向に複数段設けられていることを特徴とするガラス板輸送用パレットである。
【００１４】
或いは、本発明は、
（６）上記（１）〜（５）のいずれかに記載の輸送用パレットであって、
上記ガラス前辺保持具収納フレームが複数段設けられており、ガラス前辺保持具も複数設けられていることを特徴とするガラス板輸送用パレットである。
【００１５】
或いは、本発明は、
（７）上記（１）〜（６）のいずれかに記載の輸送用パレットであって、
上記ガラス前辺保持具の上記仕切り溝は、緩衝材によって構成されていることを特徴とするガラス板輸送用パレットである。
【００１６】
或いは、本発明は、
（８）上記（１）〜（７）のいずれかに記載の輸送用パレットであって、
上記ガラス前辺保持具には、クランプフック引掛部が設けられており、
上記ガラス前辺保持具収納フレームには、上記クランプフック引掛部に引っ掛ける鍵状部材と、上記鍵状部材の上記クランプフック引掛部に対する角度を調整するクランプハンドルと、クランプハンドルの反転を防止する反転外れ止め金具とが設けられていることを特徴とするガラス板輸送用パレットである。
【発明の効果】
【００１７】
本発明のガラス板輸送用パレットによると、まず、ガラス前辺保持具を外した状態で、ガラス板を垂直保持バーにガラス板の側面が沿うようにして床桟フレーム上で一枚づつ自立させることができる。垂直保持バーは背枠フレームの主面に対して直交する方向に伸びているため、垂直保持バーによってガラス板の後辺側から前辺側までの側面をバランス良く支持することができる。
また、ガラス前辺保持具をガラス前辺保持具収納フレームに取り付け、自立させたガラス板の前辺をガラス前辺保持具の仕切り溝に押し付けることによってガラス板の前辺を揃えることができ、ガラス板の前辺位置に揃えて固定することができる。
さらに、ガラス固縛用紐のループ部の周囲長を調整してガラス板の後辺を固定し、その状態でガラス固縛用紐の引張部を背枠フレームに固定することによってガラス板を一枚ずつ確実に固定して自立させることができる。
このようなパレットを用いてガラス積載作業を行うと、作業者はパレット内に体や腕を入れる必要がなく、ガラス固縛用紐の引張部をパレットの背面側から引っ張り、引張部を背枠フレームに固定することのみでガラス板の位置を固定することができる。従ってガラス積載作業の作業性が良好となる。
また、簡便な構成によってガラス板の固定を行うことができる。
さらに、ガラス板の取り出し作業時には、ガラス前辺保持具を取り外すだけで所望のガラス板のみを前面側から容易に取り出すことができる。
【発明を実施するための最良の形態】
【００１８】
図１は、本発明に係るガラス板輸送用パレットの一例を前面側から見て模式的に示す斜視図であり、ガラス前辺保持具が取り付けられた状態を示している。図２は、図１のガラス板輸送用パレットを模式的に示す背面図である。図３は、図１のガラス板輸送用パレットにガラス板を積載した状態を模式的に示す斜視図である。
なお、図１〜３においては、ガラス固縛用紐及びガイドベルトを省略している。
図４は、ガラス板の後辺をガラス固縛用紐で固定した様子の一例を模式的に示す斜視図であり、ガラス板輸送用パレットの一部を拡大して示している。
以下、本発明のガラス板輸送用パレットの具体例について、その全体の態様を説明する。
【００１９】
図１に示す本発明のガラス板輸送用パレット１においては、矩形形状に枠組みした床桟フレーム１０が床面に接地しており、床桟フレーム１０の上面にガラス下辺受けロール１１が設けられている。
このガラス板輸送用パレット１には、図３に示すように、ガラス下辺受けロール１１の上に大きさが異なる複数種類のガラス板１００を積載することができる。
【００２０】
図２に示すように、ガラス板輸送用パレット１の背面側には、縦背枠フレーム２０ａ及び横背枠フレーム２０ｂが矩形形状に枠組みされてなる背枠フレーム２０が設けられており、縦背枠フレーム２０ａが床桟フレーム１０の背面側上端部から立設されている。
横背枠フレーム２０ｂには垂直保持バー６０及び垂直保持バー７０がボルト６２及びナット６３によって取り付けられている。また、横背枠フレーム２０ｂにはガラス固縛用紐を挿通させるための貫通孔２１ｂ及びガイドベルトを挿通させるための貫通孔２１ｃが設けられている。これらの部位の詳細については後で説明する。
【００２１】
また、背枠フレーム２０の両端に設けられた２本の縦背枠フレーム２０ａからは、図１に示すように、背枠フレーム２０の主面と直交する方向にガラス前辺保持具収納フレーム３０が伸びている。そして、ガラス前辺保持具収納フレーム３０の前面側先端部にはガラス前辺保持具４０がクランプ３１によって取り付けられている。
また、上段及び中段に位置する横背枠フレーム２０ｂから、Ｕ字形状の垂直保持バー６０が背枠フレーム２０の主面と直交する方向に多数伸びている。また、下段に位置する横背枠フレーム２０ｂからＬ字形状の垂直保持バー７０が伸び、床桟フレーム１０の上面に接続されている。
そして、図３に示すようにガラス板輸送用パレット１にガラス板が積載された場合、ガラス板１００は２本の垂直保持バー６０及び２本の垂直保持バー７０の間に挟まれるため、ガラス板１００同士が接触することがない。
また、ガラス板１００の前辺１０１とガラス前辺保持具４０の仕切り溝が嵌合しており、複数のガラス板１００がその前辺１０１の位置を合わせるようにして積載される。
【００２２】
また、図４に示すように、ガラス板１００はその後辺１０２をガラス固縛用紐５０のループ部５１によって固定される。ガラス板１００の後辺１０２をガラス固縛用紐５０によって固定する機構及び方法の詳細については後述する。
【００２３】
このように、本発明のガラス板輸送用パレットにおいては、ガラス板を一枚ずつお互いに接触しないように自立させ、複数のガラス板をその前辺の位置を揃えた状態で固定して積載することができる。
【００２４】
続いて、本発明のガラス板輸送用パレット１を構成する各部材について説明する。
図１に示すように、床桟フレーム１０は、ＳＳ鋼材を矩形形状に枠組みしてなる部材であり、ガラス板輸送用パレット１の底面部を構成する。
この床桟フレーム１０は、その各側面に２ヶ所の開口部１０ａが設けられており、各開口部１０ａにはフォークリフトのフォークを挿入することができるようになっている。
従って、このガラス板輸送用パレット１を容易に持ち上げて搬送することができる。
【００２５】
床桟フレーム１０の上面にはガラス下辺受けロール１１が載置されている。
図５（ａ）は、ガラス下辺受けロールの一例の一部を模式的に示す斜視図である。（ｂ）は、（ａ）においてＡで示した部分のガラス下辺受けロールの部分分解斜視図である。（ｃ）はローラーの別の形態の一例を模式的に示す斜視図である。
このガラス下辺受けロール１１は、主にガイドレール１２、ローラー１３、及び、ロッド１４から構成されている。
【００２６】
ガイドレール１２は、一定間隔で貫通孔１５が設けられた矩形板形状の部材であり、ガイドレール１２同士の間隔がガラス板の最大となる厚さより少し大きくなるように複数本、その長手方向が背枠フレームの主面と直交する向きとなるように並べられている。
また、最も外側に位置するガイドレール１２の端部付近に固定部１８が設けられており、固定部１８内に固定用のボルトが埋設されることによって、ガイドレール１２が床桟フレーム１０と固定されている。図示していないが最も外側に位置するガイドレール１２の反対側の端部付近も同様である。
【００２７】
ローラー１３は、中心に貫通孔１６が設けられた円柱状の部材であり、その円柱の高さはガイドレール１２同士の間隔と略同一であり、ローラー１３の円の直径はガイドレール１２の幅よりも小さくなっている。そして、図５（ｂ）に示すようにローラー１５の貫通孔１６とガイドレール１２の貫通孔１５には円柱状のロッド１４が挿通されている。
ローラー１３の貫通孔１６の直径とガイドレール１２の貫通孔１５の直径とは略同一であり、ロッド１４の直径よりも少し大きくなっている。
また、ガイドレール１２とローラー１３との位置関係は、ガイドレール１２の最上部がローラー１３の最上部よりも高くなるように設計されている。
【００２８】
ロッド１４は、ガイドレール１２の貫通孔１５及びローラーの貫通孔１６に挿通され、その両端は最も外側に位置するガイドレール１２から突出しており、上記両端にはガイドレール１２の貫通孔１５の直径に比べて外形が大きな鍔部１９を有するピン１７が取り付けられている。そのため、ロッド１４はガイドレール１２の貫通孔１５から抜けることがない構造となっている。
【００２９】
ガラス下辺受けロール１１はこのような構成を有しているため、ローラー１３はその貫通孔１６内に挿通されたロッド１４を中心にして、二枚のガイドレール１２の間で回転することができる。そして、ガイドレール１２同士の間隔がガラス板１００の最大となる厚さより少し幅広になっており、ガイドレール１２の最上部はローラー１３の最上部よりも高くなっているため、ローラー１３の上に載置したガラス板１００の位置が２枚のガイドレール１２の間に規制される。従って、ガラス板１００をローラー１３の上に安定して直立させた状態とすることができる。そして、直立させたガラス板をローラー１３の回転を利用してガラス板１００をガイドレール１２の長手方向に沿って滑らせることができ、ガラス板１００を前後にスムーズに移動させることができる。
また、ローラーの形状を図５（ｃ）に示すような鼓状としても良い。ローラー１１３の中央部をＶ字状にくびれた形状とすると、ガラス板の下端が上記くびれた形状に当接して支持されるため、ガラス板をローラーの中央部で支持することができる。
【００３０】
背枠フレームは、床桟フレームの背面側上端部の両端から上方に伸びている２本の縦背枠フレーム、及び、２本の縦背枠フレームの間を連結する複数の横背枠フレームが矩形形状に枠組みされてなる部材である。
【００３１】
図６は、背枠フレームの一部を拡大した背面図である。
図６においては、横背枠フレームを２本示している。上の横背枠フレームには、横背枠フレームの貫通孔に垂直保持バー、ガイドベルト、ガラス固縛用紐の各部材が設置されている場合を左側に、上記各部材を設置していない場合を右側に模式的に示している。下の横背枠フレーム近傍には、横背枠フレームの手前にガラス前辺保持具が載置された状態を模式的に示している。
【００３２】
縦背枠フレーム２０ａは、筒状角形のＳＳ鋼材からなり、２本の横背枠フレーム２０ｂのうち、図６の上に示した横背枠フレーム２０ｂは、板状のＳＳ鋼材を複数箇所で折り曲げた形状であり、その長手方向に沿って３種類の貫通孔２１が等間隔で複数設けられている。
図６の下に示した横背枠フレーム２０ｂは板状のＳＳ鋼材からなり、その長手方向に沿って垂直保持バー用貫通孔（図示せず）が等間隔で複数設けられている。
【００３３】
横背枠フレーム２０ｂに設けられた３種類の貫通孔２１のうち、紐用貫通孔２１ａには、ガラス固縛用紐５０が挿通されており、ガラス固縛用紐５０の端部側には緩み止めストッパー５３が取り付けられている。
緩み止めストッパー５３の使用法については後述する。
【００３４】
また、垂直保持バー用貫通孔２１ｂには、垂直保持バー６０の一端に設けられたボルト部６２が挿通され、ナット６３によって固定されている。
ガイドベルト用貫通孔２１ｃは、細長い貫通孔が２つ並んでなり、ガイドベルト５５が挿通されている。具体的には、ガイドベルト５５は、一方の貫通孔から背枠フレームの背面側に出て、他方の貫通孔に背面側から入って背枠フレームの前面側に挿通されている。
【００３５】
また、縦背枠フレーム２０ａには、ガラス前辺保持具載置部２２が設けられている。ガラス前辺保持具載置部２２はＬ字形状の板状部材であり（図１参照）、取り外したガラス前辺保持具４０を両端のガラス前辺保持具載置部２２の上に載置することができる。
【００３６】
ガラス前辺保持具収納フレーム３０は、縦背枠フレーム２０ａに固着されて背枠フレームの主面と直交する方向、すなわち前面側に伸びた部材である（図１参照）。
図１〜３においては、ガラス前辺保持具収納フレーム３０が両端の縦背枠フレーム２０ａにそれぞれ固着されており、ガラス前辺保持具収納フレーム３０の前面側先端にガラス前辺保持具４０が取り付けられている。
図１〜３においては、ガラス前辺保持具収納フレームは複数段（３段）設けられている。
【００３７】
ガラス前辺保持具収納フレーム３０は筒状角型のＳＳ鋼材からなり、その前面側先端にはクランプ部３１が設けられている。
図７は、ガラス前辺保持具収納フレームのクランプ部付近を拡大して模式的に示す側面図である。
このクランプ部３１は、ガラス前辺保持具収納フレーム３０とガラス前辺保持具とを固定するための部位であり、鍵状部材３２と、クランプハンドル３３と、反転外れ止め金具３４とから構成されている。
クランプ部３１を使用してガラス前辺保持具収納フレーム３０とガラス前辺保持具とを固定する方法については後述する。
【００３８】
図８は、ガラス前辺保持具の一例を模式的に示す斜視図である。
このガラス前辺保持具４０は、３本の筒状角形のＳＳ鋼材を組み合わせた形状、すなわちコの字形状であり、上記コの字形状の内側にはガラス保持部４１が形成されている。
【００３９】
ガラス保持部４１には、ガラス板の厚さと比べて少し大きな幅の凹みである仕切り溝４２が設けられている。この仕切り溝４２が、ガラス板の前辺を突き当てる部分となり、仕切り溝４２に合わせてガラス板の前辺を突き当てることによって、ガラス板同士が接触しないようにしてガラス板が積載される位置を固定することができる。
この仕切り溝４２は、緩衝材によって構成されていることが望ましい。仕切り溝４２が緩衝材からなると、ガラス板を突き当てた際にガラス板に傷がつくことを防止することができ、また、ガラス板の後辺をガラス固縛用紐によって固定する際にガラス板の前辺に加わる圧力を吸収してガラス板に傷や割れが発生することを防止することができる。
緩衝材としては、特に限定されるものでないが、例えば、天然ゴム、合成ゴム、発泡スチロール、発泡ウレタン等が挙げられる。
【００４０】
折れ曲がった先の先端部付近の上面には、立設した２枚の板の間が軸で繋がれた形状のクランプフック引掛部４３が設けられている。この部位はガラス前辺保持具４０をガラス前辺保持具収納フレーム３０に固定するための部位である。
【００４１】
本発明のガラス板輸送用パレットにおいては、ガラス前辺保持具収納フレーム及びガラス前辺保持具は上下方向に複数段設けられていることが望ましい。これらが複数段に設けられていることによって、直立させた際の高さが高いガラス板に対して複数箇所で固定を行うことができ、より安定した積載が可能となる。また、直立させた際の高さが異なるガラス板を混載した際にも各ガラス板を適切な位置で保持することができるため、ガラス板を安定して積載することができる。
また、高さの異なるガラス板を混載した際には、下側のガラス前辺保持具のみを取り外すことによって、高さの高いガラス板の固定を解除することなく、高さの低いガラス板のみを取り出すことができる。
【００４２】
図９は、垂直保持バーの一例を模式的に示す側面図であり、（ａ）は、Ｕ字形状の垂直保持バーの一例を模式的に示す側面図であり、（ｂ）はＬ字形状の垂直保持バーの一例を模式的に示す側面図である。
この垂直保持バーは、表面を滑らかに加工した円筒状の鋼材を折り曲げることによって作製されている。
図９（ａ）に示す垂直保持バー６０は、図１に示すガラス板輸送用パレット１において上段及び中段に設けられている部材である。垂直保持バー６０の両端にはボルト部６２が設けられており、２ヶ所のボルト部６２を上述した横背枠フレーム２０ｂの垂直保持バー用貫通孔２１ｂにそれぞれ挿通し、ナット６３を用いて固定することによって垂直保持バー６０は横背枠フレーム２０ｂから背枠フレーム２０の主面と直交する方向に伸ばした状態で固定される。
【００４３】
図９（ｂ）に示す垂直保持バー７０は、図１に示すガラス板輸送用パレット１において下段に設けられている部材である。
図９（ｂ）に示す垂直保持バー７０にもその両端にボルト部７２が設けられており、ボルト部７２のうち、長辺側のボルト部７２ａは、垂直保持バー６０のボルト部６２と同様にして横背枠フレーム２０ｂに固定され、短辺側のボルト部７２ｂは、床桟フレーム１０の前面側に挿通されてナット７３によって床桟フレーム１０と固定される。
【００４４】
ガラス垂直保持バー６０及びガラス垂直保持バー７０には、ガラス固縛用紐取付部６１、７１が設けられている。ガラス固縛用紐取付部６１、７１はガラス垂直保持バーに固着されたリング状の部材であり、ガラス固縛用紐及びガイドベルトを通すことができる。
ガラス固縛用紐がガラス固縛用紐取付部に挿通されていると、ガラス固縛用紐の位置の一端が好適な位置に定まり、ガラス板の固定を強固に行うことができる。
【００４５】
図１０（ａ）は、ガラス固縛用紐が取り付けられている部位の一例を模式的に示す平面図であり、（ｂ）は最も手前側の垂直保持バー及びガラス固縛用紐を模式的に示す（ａ）の側面図であり、（ｃ）、（ｄ）は、緩み止めストッパーの正面図である。
なお、図１０（ａ）においては、一本のガラス固縛用紐を他のガラス固縛用紐と区別するために黒色で示している。また、図中最も下側にガラス板を固縛した様子を示している。
また、図１０（ａ）においてはガイドベルト及び垂直保持バーの背面側を省略して描いている。
【００４６】
以下、黒色で示している一本のガラス固縛用紐５０が設置されている態様について説明する。
ガラス固縛用紐５０は、その一方の端部が垂直保持バー６０のガラス固縛用紐取付部６１に挿通されて、その近傍で紐末端固定部材５８によって末端を結ばれてガラス固縛用紐取付部６１から抜けないようになっている（図１０（ａ）中、点Ａ）。
このガラス固縛用紐５０は点Ａから背面方向に、ガイドベルト５５（図１０（ｂ）参照）に沿って伸び、ガラス板１００の後辺１０２側へ回り込む（点Ｂ）。
そして、向きを前面方向に変えてさらに伸び、別のガイドベルト５５の背面側の紐通し部５６（点Ｃ）及び前面側の紐通し部５６（点Ｄ）に挿通される。
続いて、垂直保持バー６０に設けられたガラス固縛用紐取付部６１に挿通され（点Ｅ）、再度向きを変えて背面方向に伸び、以前に挿通された紐通し部５６に挿通され（点Ｆ、点Ｇ）、そのまま背面方向に伸びて横背枠フレーム２０ｂの紐用貫通孔２１ｂを貫通する（点Ｈ）。
そして、点Ｈを経たガラス固縛用紐５０の端部近傍には、緩み止めストッパー５３が備えられており、ガラス固縛用紐５０は緩み止めストッパー５３によって横背枠フレーム２０ｂに固定される。
【００４７】
ガラス固縛用紐５０は、ループ部５１と引張部５２とからなる紐状部材である。その境界は厳密に定まるわけではなく、ガラス板との位置関係によって変化する。本明細書においては、ガラス板１００を載置した際にガラス板１００と接する部位（図１０（ａ）中、点Ａ〜点Ｅ）をループ部５１とし、ガラス板１００と接しない部位（図１０（ａ）中、点Ｅ〜点Ｈ側末端）を引張部５２とすることとする。
【００４８】
緩み止めストッパー５３は、外ストッパー５３ａ及び外ストッパー５３ａ内に挿入されている内ストッパー５３ｂとからなる。外ストッパー内には図示しない弾性部材があり、通常は内ストッパー５３ｂは上方に突出した状態となるが（図１０（ｃ）参照）、内ストッパー５３ｂに対して外ストッパー５３ａの方向に荷重を加えることによって内ストッパー５３ｂを押し込むことができる（図１０（ｄ）参照）。そして荷重を開放すると再び内ストッパー５３ｂが上方に突出した状態に戻る。
外ストッパーには貫通孔５４ａ、内ストッパーには貫通孔５４ｂがそれぞれ設けられている。図１０（ｃ）に示すような荷重が加えられていない状態ではこの２つの貫通孔は重なっていないため、外ストッパーの貫通孔５４ａは内ストッパー５３ｂによって塞がれている。
これに対し、内ストッパー５３ｂを押し込んだ、図１０（ｄ）に示すような状態ではこの２つの貫通孔が重なってひとつの貫通孔５４を形成する。
【００４９】
図１０（ｄ）に示す貫通孔５４はガラス固縛用紐の径よりも大きいため、貫通孔５４が形成された状態では、貫通孔５４内にガラス固縛用紐５０を通すことができる。そして、この状態ではガラス固縛用紐５０を緩み止めストッパー５３に対して移動させることができる。しかし、内ストッパー５３ｂに対して荷重を加えていない状態では内ストッパー５３ｂが上方に移動しようとするため、貫通孔５４に挿通されたガラス固縛用紐５０には上方に押し付けられる力が加わりガラス固縛用紐５０を緩み止めストッパー５３に対して移動させることができなくなる。
【００５０】
また、ガラス固縛用紐５０及び垂直保持バー６０に沿ってガイドベルト５５が設けられている。このガイドベルト５５は、ガラス固縛用紐５０が垂れ下がることを防止するための部材であり、樹脂等の可撓性の小さい材料からなる。ガイドベルト５５は、垂直保持バー６０の固縛用紐取付部６１に挿通され、さらに、ガイドベルト５５は横背枠フレーム２０ｂのガイドベルト用貫通孔２１ｃに挿通されており、一方のガイドベルト用貫通孔２１ｃを貫通して横背枠フレーム２０ｂの前面側から背面側に出た後、他方のガイドベルト用貫通孔２１ｃを貫通して横背枠フレーム２０ｂの背面側から前面側に貫通している。
そして、ガイドベルト５５は、ガイドベルト長さ調整部５７によってたるむことが無いように締めつけられ、固縛用紐取付部６１とガイドベルト用貫通孔２１ｃとの間でたるまずに張った状態が保持されるようになっている。
【００５１】
そして、ガイドベルト５５の数ヶ所に設けられた紐通し部５６にガラス固縛用紐５０が挿通されることによってガラス固縛用紐５０がたるむことが防止されている。
【００５２】
本発明のガラス板輸送用パレットにおいては、垂直保持バーが上下方向に複数段設けられていることが望ましい。これらが複数段に設けられていることによって、高さが高いガラス板が倒れることを防止してガラス板の側面を複数箇所で支えることができ、より安定した積載が可能となる。また、直立させた際の高さが異なるガラス板を混載した際にも各ガラス板の側面に加わる荷重を適切な位置で支えることができるため、ガラス板を安定して積載することができる。
また、垂直保持バーが複数段に渡って設けられ、各垂直保持バーのガラス固縛用紐取付部にガラス固縛用紐が挿通されていると、一枚のガラス板の後辺を複数のガラス固縛用紐によって固定することができるため、ガラス板をより安定して積載することができる。
また、高さの異なるガラス板を混載し、高さが低いガラス板を取り出す際には、低い位置（下段）のガラス前辺保持具を取り外すだけで高さの低いガラス板のみを取り出すことができる。
この際、ガラス板の後辺を固定するガラス固縛用紐を緩める必要はなく、高さの高いガラス板の固定を解除する必要もない。
【００５３】
また、垂直保持バーが一段のみ設けられていてもよい。この場合は、積載するガラス板の高さに応じて垂直保持バーを設置する高さを設定することが望ましく、ガラス板の側面をバランス良く支持できるように設定することが望ましい。
【００５４】
続いて、本発明のガラス板輸送用パレットの使用方法の具体的な一例について説明するが、本発明のガラス板輸送用パレットの使用方法は以下の形式に限定されるものではない。
図１１は、ガラス板を積載する手順の一例を模式的に示す平面図である。
（ａ）には、ガラス前辺保持具が取り外されており、ガラス板を積載する前の状態を、（ｂ）には、ガラス板を積載する工程を、（ｃ）には、ガラス前辺保持具を取り付ける工程をそれぞれ示す。
【００５５】
はじめに、図１１（ａ）に示すような、ガラス板輸送用パレット１からガラス前辺保持具４０が取り外された状態から説明する。取り外されたガラス前辺保持具４０は縦背枠フレーム２０ａに設けられたガラス前辺保持具載置部２２（図１及び図４参照）に載置されても良い。
【００５６】
ガラス前辺保持具４０が取り外されたガラス板輸送用パレット１の前面側は開放されており、図１１（ｂ）に示すように、垂直保持バー６０、７０の間に一枚ずつガラス板１００を積載する。このとき、ガラス下辺受けロールの２枚のガイドレール間にガラス板１００の底面を配置し、ローラー上を滑らせることにより容易にガラス板１００をガラス板輸送用パレット１に積載することができる。このとき、各ガラス板１００の前辺１０１の位置を揃えて積載する。
【００５７】
そして、ガラス前辺保持具４０をガラス前辺保持具収納フレーム３０に差し込み、固定する。このとき、ガラス前辺保持具４０の仕切り溝４２が各ガラス板１００の前辺１０１と接触するようにする。
【００５８】
図１２（ａ）〜（ｄ）は、ガラス前辺保持具をガラス前辺保持具収納フレームに固定する手順の一例を模式的に示す側面図である。
ガラス前辺保持具収納フレーム３０にクランプ３１が設けられており、ガラス前辺保持具４０にクランプフック引掛部４３が設けられているため、以下のようにしてガラス前辺保持具４０を固定することができる。
まず、ガラス前辺保持具４０の先端部をガラス前辺保持具収納フレーム３０の先端部に挿入する（図１２（ａ）参照）。このとき、鍵状部材３２を少し持ち上げると同時にクランプハンドル３３を立ち上げ、鍵状部材３２の先端がクランプフック引掛部４３に引っ掛かるようにして、鍵状部材３２を下ろす（図１２（ｂ）参照）。
続いて、クランプハンドル３３を倒す（図１２（ｃ）参照）。すると、鍵状部材３２のＵ字形状の部分がクランプフック引掛部４３に係合し、ガラス前辺保持具４０がガラス前辺保持具収納フレーム３０に固定される。
さらに、反転外れ止め金具３４を倒してクランプハンドル３３の上に被せて固定することによって、クランプハンドル３３が反転して鍵状部材３２とクランプフック引掛部４３との係合が解けることが防止される（図１２（ｄ）参照）。
【００５９】
続いて、ガラス板１００の後辺１０２をガラス固縛用紐５０を用いて固定する。
図１３（ａ）、（ｂ）は、ガラス固縛用紐によってガラス板の後辺を固定する手順の一例を模式的に示す平面図である。
ガラス板輸送用パレット１の前面から積載されたガラス板１００は、図１３（ａ）に示すようにガラス固縛用紐５０のループ部５１に挿入されており、ガラス板１００の後辺１０２とループ部５１の間には隙間がある状態となっている。
【００６０】
続いて、図１３（ｂ）に示すように引張部５２を背枠フレーム２０の背面側から引っ張ると、ループ部５１の周囲長が短くなり、上記隙間が無くなってガラス固縛用紐５０によりガラス板１００の後辺１０２の位置が固定される。
そして、引張部５２を引っ張りながら、緩み止めストッパー５３の内ストッパーを上下に指で挟んで荷重を加え、緩み止めストッパー５３をガラス固縛用紐５０に沿って移動させて横背枠フレーム２０ｂに向けて押し付け、押し付けた位置で手を離すことによって緩み止めストッパー５３の位置を固定する。このようにすることによってガラス固縛用紐５０の位置がループ部５１の周囲長を一定にした状態で固定され、ガラス固縛用紐５０によるガラス板１００の後辺１０２の固定を行うことができる。
このように緩み止めストッパーが設けられていることによって、ガラス固縛用紐のループ部の周囲長を調整した状態でガラス固縛用紐の引張部の位置を簡便に固定することができる。
以上の手順によって、ガラス板１００をガラス板輸送用パレット１に積載することができる。
【００６１】
なお、直立させた際のガラス板の高さが高く、複数段のガラス固縛用紐を使用して固定を行う場合は、下段のガラス固縛用紐を先に固定し、以降中段、上段の順に下から固定を行うことが望ましい。このような順序とすることで、安定した固定を行うことができる。
【００６２】
続いて、ガラス板１００をガラス板輸送用パレット１から取り出す手順について説明する。基本的にはガラス前辺保持具を取り外すだけでガラス板１００を取り出すことができる。
【００６３】
ガラス前辺保持具を取り外すためには、クランプ３１の反転外れ止め金具３４を上に上げて、さらにクランプハンドル３３を反転させて鍵状部材３２のＵ字形状の部分とクランプフック引掛部４３との係合を解除する。
そして、ガラス前辺保持具４０を前面側に引き、ガラス前辺保持具４０をガラス板輸送用パレット１から取り外す。
この取り外したガラス前辺保持具４０は、背枠フレーム両端のガラス前辺保持具載置部２２の上に載置することができる。
最後に、所望のガラス板１００を一枚ずつ、ローラー上を滑らせることにより引き抜く。
このようにすることによって、所望のガラス板のみを簡単に取り出すことができる。
【００６４】
以上、本発明の板状体輸送用パレットの好適な実施形態の一例について述べたが、本発明の板状体輸送用パレットはこれに限定されるものでなく、以下のような形態であってもよい。
【００６５】
本発明のガラス板輸送用パレットに積載する対象としては、強化ガラス板、半強化ガラス板、生板等の単板、あるいは複数枚の強化ガラス相互、あるいは強化ガラスと生板ガラスを組み合わせてＰＶＢやＥＶＡ等の中間膜または樹脂注入で接着した合わせガラス、さらには、上記ガラス板のいずれか２種類を間隔を隔てて対向させ、周縁部にスペーサーを配した複層ガラス、及び、上記のガラス板に飛散防止樹脂膜を貼着したフラットなガラス板など、各種ガラス板が挙げられる。
なお、複層ガラスとしては、４辺にグレイジングチャンネルを取り付けた複層ガラスであってもよい。
また、ガラス板の他にも、アクリル板、ポリーカーボネート板等の各種樹脂板、ボード、合板等の各種木製の板等が積載の対象となり、その形状は矩形のものが主に対象となる。本発明のガラス板輸送用パレットは、このような各種板の積載及び輸送に対して好適に使用することができる。
【００６６】
本発明の板状体の輸送用パレットを構成する床桟フレーム、背枠フレーム、ガラス前辺保持具収納フレーム、ガラス前辺保持具、垂直保持バーの材質は特に限定されるものでないが、例えば、ＳＳ鋼材、ＳＭ鋼材、ＳＮ鋼材等の鋼材、又は、ニッケル基合金若しくはステンレス等の他の合金材料等を好適に使用することができる。このような材質の部材を使用することにより重量物である各種板を安定的に支持することができる。
【００６７】
本発明のガラス板輸送用パレットに設けられるガラス下辺受けロールの形状は、特に限定されるものではなく、例えば、ロッドを有さない以下のような形態であっても良い。
この形態では、ガラス下辺受けロールは、上述したガラス下辺受けロールと同様のローラーを備えており、ガイドレールには貫通孔に替えて円柱形状の突出部が設けられている。そして、ローラーの貫通孔の両側に上記突出部が挿入されている。
このような構成とした場合であっても、ローラーは２枚のガイドレールの間で回転することができ、ガラス板の積載及び取り出しの際にガラス板を滑らせて前後にスムーズに移動させることができる。
【００６８】
また、床桟フレームの上面には、ガラス下辺受けロールに代えて、積載するガラス板の厚さに対応した溝部が設けられた板からなる部材が設けられていてもよい。
この場合にも、溝部に積載したガラス板の底面の位置がずれることを防止することができ、ガラス板同士が底面付近で衝突することを防ぐことができる。
【００６９】
本発明のガラス板輸送用パレットにおいて、ガラス前辺保持具収納フレームとガラス前辺保持具を固定する手段はクランプを用いた機構に特に限定されるものではない。
例えば、ガラス前辺保持具とガラス前辺保持具収納フレームの双方に貫通孔を設けておき、ガラス前辺保持具をガラス前辺保持具収納フレームの先端に挿入し、相互の貫通孔の位置を合わせて、貫通孔に固定用のピンを挿入することによって固定することができるように構成されていてもよい。
【００７０】
本発明のガラス板輸送用パレットにおいて、垂直保持バーの形状は特に限定されるものではなく、矩形板形状のバーなどであってもよい。垂直保持バーの形状が矩形板形状である場合、その一の端部が背枠フレームに固定されていて他の端部は固定されていない形態であってもよい。
このような垂直保持バーを備えた場合であっても、ガラス板同士が接触することを防止して、ガラス板を一枚ずつ自立させることができる。
【００７１】
本発明のガラス板輸送用パレットにおいて、背枠フレームにはガラス固縛用紐を挿通させるための貫通孔に替えてリング状部材やＵ字形状の溝部材などが設けられていてもよい。これらの部材が設けられている場合、これらの部材にガラス固縛用紐の引張部を挿通させることができ、緩み止めストッパーを用いてガラス固縛用紐の引張部の位置を背枠フレームに固定することができる。
【図面の簡単な説明】
【００７２】
【図１】ガラス板輸送用パレットの一例を前面側から見て模式的に示す斜視図。
【図２】図１のガラス板輸送用パレットを模式的に示す斜視図。
【図３】図１のガラス板輸送用パレットにガラス板を積載した状態を模式的に示す斜視図。
【図４】ガラス板の後辺をガラス固縛用紐で固定した様子の一例を模式的に示す斜視図。
【図５】（ａ）は、ガラス下辺受けロールの一例の一部を模式的に示す斜視図。（ｂ）は、（ａ）においてＡで示した部分のガラス下辺受けロールの部分分解斜視図。（ｃ）はローラーの別の形態の一例を模式的に示す斜視図。
【図６】背枠フレームの一部を拡大した背面図。
【図７】ガラス前辺保持具収納フレームのクランプ部付近を拡大して模式的に示す側面図。
【図８】ガラス前辺保持具の一例を模式的に示す斜視図。
【図９】（ａ）は、Ｕ字形状の垂直保持バーの一例を模式的に示す側面図。（ｂ）はＬ字形状の垂直保持バーの一例を模式的に示す側面図。
【図１０】（ａ）は、ガラス固縛用紐が取り付けられている部位の一例を模式的に示す平面図。（ｂ）は最も手前側の垂直保持バー及びガラス固縛用紐を模式的に示した、（ａ）の側面図。（ｃ）、（ｄ）は、緩み止めストッパーの正面図。
【図１１】（ａ）〜（ｃ）は、ガラス板を積載する手順の一例を模式的に示す平面図。
【図１２】（ａ）〜（ｃ）は、ガラス前辺保持具をガラス前辺保持具収納フレームに固定する手順の一例を模式的に示す側面図。
【図１３】（ａ）、（ｂ）は、ガラス固縛用紐によってガラス板の後辺を固定する手順の一例を模式的に示す平面図。
【符号の説明】
【００７３】
１  ガラス板輸送用パレット
１０  床桟フレーム
１１  ガラス下辺受けロール
１２  ガイドレール
１３、１１３  ローラー
２０  背枠フレーム
２０ａ  縦背枠フレーム
２０ｂ  横背枠フレーム
２１  横背枠フレームの貫通孔
３０  ガラス前辺保持具収納フレーム
３１  クランプ
３２  鍵状部材
３３  クランプハンドル
３４  反転外れ止め金具
４０  ガラス前辺保持具
４２  仕切り溝
４３  クランプフック引掛部
５０  ガラス固縛用紐
５１  ループ部
５２  引張部
５３  緩み止めストッパー
６０、７０  垂直保持バー
６１、７１  ガラス固縛用紐取付部
１００  ガラス板
１０１  前辺
１０２  後辺
【図１】
0004981558.tif 000002
【図２】
0004981558.tif 000003
【図３】
0004981558.tif 000004
【図４】
0004981558.tif 000005
【図５】
0004981558.tif 000006
【図６】
0004981558.tif 000007
【図７】
0004981558.tif 000008
【図８】
0004981558.tif 000009
【図９】
0004981558.tif 000010
【図１０】
0004981558.tif 000011
【図１１】
0004981558.tif 000012
【図１２】
0004981558.tif 000013
【図１３】
0004981558.tif 000014